(57)【要約】【課題】制御基板における各種回路素子が配置される領域を有利に確保することが出来る、新規な構造の遊技機を提供することを目的とする。【解決手段】サブ制御用出力端子１０４に複数のピンを設け、サブ制御用出力端子１０４を取り付けることが出来るサブ制御用出力端子取付領域１０６をサブ制御ＣＰＵ８０が実装されている制御基板８２に形成し、サブ制御ＣＰＵ８０に関する全ての確認信号を、サブ制御ＣＰＵ８０が実装されている制御基板８２に形成されたサブ制御用出力端子取付領域１０６に取り付けることが出来る一つのサブ制御用出力端子１０４における予め定められた一つのピンから外部に取り出すようにした。【選択図】　　　図１１
2004121375.tif 000002
【特許請求の範囲】
【請求項１】
遊技動作を全体的に制御する主制御ＣＰＵと遊技動作を行う作動部を該主制御ＣＰＵからの制御信号に基づいて制御するサブ制御ＣＰＵが互いに異なる制御基板上に実装されており、該主制御ＣＰＵに関する確認信号を主制御用出力端子から外部に取り出すと共に、該サブ制御ＣＰＵに関する確認信号をサブ制御用出力端子から外部に取り出す遊技機において、
前記主制御用出力端子に複数のピンを設け、該主制御用出力端子を取り付けることが出来る主制御用出力端子取付領域を前記主制御ＣＰＵが実装されている制御基板に形成すると共に、前記サブ制御用出力端子に複数のピンを設け、該サブ制御用出力端子を取り付けることが出来るサブ制御用出力端子取付領域を前記サブ制御ＣＰＵが実装されている制御基板に形成し、該主制御ＣＰＵおよび該サブ制御ＣＰＵの少なくとも一つの制御ＣＰＵに関する全ての確認信号を、該制御ＣＰＵが実装されている制御基板に形成された出力端子取付領域に取り付けることが出来る一つの出力端子から外部に取り出すようになっており、更に、一つの確認信号に対して該出力端子における一つのピンを割り当てることを特徴とする遊技機。
【請求項２】
前記主制御ＣＰＵに関する全ての確認信号を、該主制御ＣＰＵが実装されている制御基板に形成された前記主制御用出力端子取付領域に取り付けることが出来る一つの前記主制御用出力端子から外部に取り出すようになっており、更に、該主制御ＣＰＵに関する確認信号の一つに対して該出力端子における一つのピンを割り当てる請求項１に記載の遊技機。
【請求項３】
前記主制御ＣＰＵおよび前記サブ制御ＣＰＵの少なくとも一つの制御ＣＰＵに関する全ての確認信号を、該制御ＣＰＵが実装されている制御基板に形成された出力端子取付領域に取り付けることが出来る一つの出力端子から外部に取り出すようになっていると共に、該制御ＣＰＵに関する確認信号の一つに対して該出力端子における一つのピンを割り当てるようになっており、更に、該出力端子が分岐中継手段を介して試験装置に接続されるようになっている請求項１又は２に記載の遊技機。
【発明の詳細な説明】
【０００１】
【技術分野】
本発明は、外部に確認信号を出力可能な遊技機に関するものである。
【０００２】
【背景技術】
近年、パチンコ機等の遊技機は、遊技者を楽しませるために凝った演出をするようになってきており、それに伴って、遊技機の動作内容が複雑になってきている。そこで、近年の遊技機においては、遊技機における遊技動作を全体的に制御する主制御ＣＰＵは、遊技動作を行う作動部を制御するサブ制御ＣＰＵに対して制御信号を送信するのみで、専らサブ制御ＣＰＵが主制御ＣＰＵから送信された制御信号に基づいて作動部を制御するようになっている。
【０００３】
ところで、パチンコ機等の遊技機は、例えば、メーカーから出荷する前等において、所期の遊技動作を行うか否かを確認する動作確認試験を行う場合がある。そこで、遊技動作を全体的に制御する主制御ＣＰＵに関する確認信号を主制御ＣＰＵが実装された制御基板に取り付けられる複数の確認信号端子から取り出すと共に、図柄制御ＣＰＵに関する確認信号を図柄制御ＣＰＵが実装された制御基板に取り付けられる複数の確認信号端子から取り出す遊技機が提案されている（例えば、特許文献１参照。）。
【０００４】
【特許文献１】
特開２０００−３００８１２号公報　（第６−７頁、第５図）
【０００５】
ところが、このような遊技機においては、各制御基板に複数の確認信号端子が取り付けられるようになっていることから、各制御基板において、複数の確認信号端子を取り付ける領域を確保しなければならないのであり、それによって、各制御基板における各種回路素子が配置される領域が制約されてしまい、各種回路素子の配置に関する設計自由度を確保することが困難となってしまうのである。その結果、各制御基板において、各種回路素子がノイズの悪影響を受け易い密集した状態で配置されることとなり、遊技機が通常の使用状態下でノイズの悪影響を受け易くなってしまうという問題がある。
【０００６】
【解決課題】
ここにおいて、本発明は、上述の如き事情を背景として為されたものであって、その解決課題とするところは、制御基板における各種回路素子が配置される領域を有利に確保することが出来る、新規な構造の遊技機を提供することにある。
【０００７】
【解決手段】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することが出来る発明思想に基づいて認識されるものであることが理解されるべきである。
【０００８】
先ず、本発明の第一の態様は、遊技動作を全体的に制御する主制御ＣＰＵと遊技動作を行う作動部を該主制御ＣＰＵからの制御信号に基づいて制御するサブ制御ＣＰＵが互いに異なる制御基板上に実装されており、該主制御ＣＰＵに関する確認信号を主制御用出力端子から外部に取り出すと共に、該サブ制御ＣＰＵに関する確認信号をサブ制御用出力端子から外部に取り出す遊技機において、前記主制御用出力端子に複数のピンを設け、該主制御用出力端子を取り付けることが出来る主制御用出力端子取付領域を前記主制御ＣＰＵが実装されている制御基板に形成すると共に、前記サブ制御用出力端子に複数のピンを設け、該サブ制御用出力端子を取り付けることが出来るサブ制御用出力端子取付領域を前記サブ制御ＣＰＵが実装されている制御基板に形成し、該主制御ＣＰＵおよび該サブ制御ＣＰＵの少なくとも一つの制御ＣＰＵに関する全ての確認信号を、該制御ＣＰＵが実装されている制御基板に形成された出力端子取付領域に取り付けることが出来る一つの出力端子から外部に取り出すようになっており、更に、一つの確認信号に対して該出力端子における一つのピンを割り当てることを、特徴とする。
【０００９】
このような本態様に従う構造とされた遊技機においては、主制御ＣＰＵおよびサブ制御ＣＰＵのうち少なくとも一つの制御ＣＰＵに関する全ての確認信号を、かかる制御ＣＰＵが実装されている制御基板に形成された出力端子取付領域に取り付けることが出来る一つの出力端子から外部に取り出すようになっていることから、かかる制御ＣＰＵが実装されている制御基板における出力端子取付領域の占める割合を小さくすることが可能となり、それによって、かかる制御ＣＰＵが実装されている制御基板に配置される各種の回路素子の配置に関する設計自由度を向上することが出来るのである。
【００１０】
従って、本態様に係る遊技機においては、遊技機の通常の使用状態下におけるノイズ対策を考慮して、制御基板に各種の回路素子を配置することが出来るのであり、それによって、遊技機の通常の使用状態下における遊技動作の安定化を図ることが出来るのである。
【００１１】
そこにおいて、本態様における「一つの確認信号に対して該出力端子における一つのピンを割り当てる」とは、出力端子におけるある一つのピンからは、ある一つの確認信号のみを外部に取り出すようにすることをいうものとする。
【００１２】
従って、本態様に係る遊技機においては、一つのピンから外部に取り出すことが出来る確認信号を特定することが出来るのであり、それによって、一つの出力端子から外部に取り出すことが出来る全ての確認信号の識別を容易に行うことが出来るのである。その結果、本態様に係る遊技機においては、確認信号を検査する装置において、確認信号を識別する負担を軽減することが出来るのである。
【００１３】
また、本態様における「該制御ＣＰＵが実装されている制御基板に形成された出力端子取付領域に取り付けることが出来る一つの出力端子」とは、例えば、主制御ＣＰＵに関する確認信号を取り出す場合には、主制御ＣＰＵが実装されている制御基板に形成された主制御用出力端子取付領域に取り付けることが出来る主制御用出力端子をいうものとし、サブ制御ＣＰＵに関する確認信号を取り出す場合には、サブ制御ＣＰＵが実装されている制御基板に形成されたサブ制御用出力端子取付領域に取り付けることが出来るサブ制御用出力端子をいうものとする。
【００１４】
更に、本態様における作動部とは、例えば、普通図柄表示装置や特別図柄表示装置，賞球払出装置等のように、遊技者が遊技を行うために必要な動作をする装置のことを言うものとする。また、サブ制御ＣＰＵとは、普通図柄表示装置や特別図柄表示装置を作動せしめる図柄制御ＣＰＵや賞球払出装置を作動せしめる払出制御ＣＰＵ等のように、遊技者が遊技を行うために必要な作動部を作動制御する制御ＣＰＵをいうものとする。更に、主制御ＣＰＵに関する確認信号としては、例えば、大入賞口の入口を塞ぐ扉を開閉駆動する大入賞口ソレノイドを駆動するために出力したソレノイド信号等のように主制御ＣＰＵから出力された信号や、大入賞口の入口が開放されていることを知らせる信号や特別図柄表示装置において特別図柄が大当たり図柄で停止したことを知らせる信号等のように主制御ＣＰＵが出力した信号に基づく結果を知らせる信号、更には、特別図柄表示装置において特別図柄の変動を開始するための始動口センサからの信号等のように主制御ＣＰＵに入力される信号等を言うものとする。更にまた、サブ制御ＣＰＵに関する確認信号は、例えば、特別図柄表示装置において特別図柄が変動中であることを知らせる信号や特別図柄表示装置において特別図柄の変動が停止したことを知らせる信号等のように、サブ制御ＣＰＵが作動せしめる作動部の作動状態を知らせる信号等をいうものとする。
【００１５】
また、本発明の第二の態様は、前記第一の態様に係る遊技機において、前記主制御ＣＰＵに関する全ての確認信号を、該主制御ＣＰＵが実装されている制御基板に形成された前記主制御用出力端子取付領域に取り付けることが出来る一つの前記主制御用出力端子から外部に取り出すようになっており、更に、該主制御ＣＰＵに関する確認信号の一つに対して該出力端子における一つのピンを割り当てることを、特徴とする。このような本態様に従う構造とされた遊技機においては、遊技動作の全体を制御する主制御ＣＰＵが実装されている制御基板における主制御用出力端子取付領域の占める割合を小さくすることが出来るのであり、それによって、主制御ＣＰＵが実装されている制御基板に配置される各種の回路素子の配置に関する設計自由度を向上することが出来る。
【００１６】
また、本発明の第三の態様は、前記第一又は第二の態様に係る遊技機において、前記主制御ＣＰＵおよび前記サブ制御ＣＰＵの少なくとも一つの制御ＣＰＵに関する全ての確認信号を、該制御ＣＰＵが実装されている制御基板に形成された出力端子取付領域に取り付けることが出来る一つの出力端子から外部に取り出すようになっていると共に、該制御ＣＰＵに関する確認信号の一つに対して該出力端子における一つのピンを割り当てるようになっており、更に、該出力端子が分岐中継手段を介して試験装置に接続されるようになっていることを、特徴とする。このような本態様に従う構造された遊技機においては、例えば、一つの出力端子から外部に取り出される全ての確認信号が試験装置に設けられた複数の入力端子から試験装置に入力される場合においても、試験装置における複数の入力端子を考慮しないで、制御基板に配置される各種の回路素子のノイズ対策だけを考えることが出来るのである。
【００１７】
なお、本態様における分岐中継手段とは、例えば、制御ＣＰＵが実装されている制御基板に形成された出力端子取付領域に取り付けることが出来る一つの出力端子にハーネス等を介して接続される入力側接続端子と試験装置における少なくとも一つの入力端子に対してハーネス等で接続される出力側接続端子を備えた中継用基板に入力側接続端子における所定のピンを出力側接続端子の所定のピンに電気的に接続するプリント配線が形成されているもの等によって、有利に構成される。
【００１８】
【発明の実施形態】
以下、本発明を更に具体的に明らかにするために、本発明の実施形態について、図面を参照しつつ、詳細に説明する。
【００１９】
先ず、図１には、本発明の第一の実施形態としてのパチンコ機１０が示されている。このパチンコ機１０は、遊技盤１２上に配設された特別図柄始動口１４に遊技球が入賞すると、賞球が上皿１６に排出されると共に、特別図柄表示装置１８において、特別図柄の変動が開始されるようになっている。
【００２０】
より詳細には、パチンコ機は中枠２０を備えており、かかる中枠２０が幅方向一方の端部を中心に回動可能な状態で外枠２２に装着されている。また、中枠２０の前面には、横長な長方形状の皿板２４が幅方向一方の端部を中心に回動可能に装着されており、かかる皿板２４の前面には、遊技球を貯留するための上皿１６が固定されている。
【００２１】
また、中枠２０の前面には、上皿１６の下方において、下皿２６が固定されている。この下皿２６は、パチンコ機１０の裏側において、上皿１６に連通せしめられており、上皿１６内から溢れた遊技球が上皿１６内から下皿２６内に排出されるようになっている。また、下皿２６の右側には、発射ハンドル２８が回動可能に装着されており、かかる発射ハンドル２８の裏側には、図示しない発射モータが装着されている。この発射モータの回転軸には、図示しないクランク機構を介して図示しない打球槌が連結されており、発射ハンドル２８が周方向一方の側に回動操作せしめられることによって発射モータに電源が与えられ、打球槌が上皿１６内に貯留された遊技球を弾き出すようになっている。
【００２２】
さらに、中枠２０の前面には、窓枠３０が幅方向一方の端部を中心に回動可能に装着されている。また、中枠２０の後ろ側には、遊技盤１２を保持するための額縁状の機構盤が固定されており、かかる機構盤によって遊技盤１２が保持された状態下において、遊技盤１２は、窓枠３０によって保持されたガラス窓で覆われている。更に、窓枠３０の幅方向他方の端部には、枠鍵３２が装着されており、かかる枠鍵３２によって中枠２０を外枠２２に対して密着した閉状態に保持するようになっていると共に、皿板２４と窓枠３０を中枠２０に密着した閉状態に保持するようになっている。
【００２３】
また、遊技盤１２の前面には、外レール３４および内レール３６が設けられており、打球槌によって弾かれた遊技球は、外レール３４および内レール３６を通って遊技盤１２の上部に案内されるようになっている。そして、遊技盤１２の上部に案内された遊技球は、遊技盤１２の前面に打ち込まれた図示しない複数の遊技釘に当たりながら落下するようになっている。
【００２４】
さらに、遊技盤１２の前面には、額縁状の台板３８が固定されており、かかる台板３８には、特別図柄表示装置１８および普通図柄表示装置４０が固定されている。特別図柄表示装置１８は、カラー液晶表示器によって構成されており、「０」〜「１２」の数字図柄が左特別図柄表示領域３９ａ，中特別図柄表示領域３９ｂおよび右特別図柄表示領域３９ｃの各図柄表示領域に表示されるようになっている。また、普通図柄表示装置４０は、カラー液晶表示器によって構成されており、「３」および「７」の数字図柄が左普通図柄表示領域４１ａおよび右普通図柄表示領域４１ｂの各図柄表示領域に表示されるようになっている。
【００２５】
また、遊技盤１２の前面には、特別図柄表示装置１８の下方に位置して特別図柄始動口１４が設けられている。この特別図柄始動口１４は、上側が開口するポケット状を呈しており、特別図柄始動センサ４２を備えている。この特別図柄始動センサ４２は、近接スイッチによって構成されており、特別図柄始動口１４内に遊技球が入賞したことを検出して特別図柄始動信号を出力するようになっている。また、特別図柄始動口１４の開口部には、一対の羽根４４，４４が配設されており、特別図柄始動口１４を遊技盤１２に取り付ける台板の裏側に配設されたソレノイド４６（図６参照）への通電によりクランクがバネの付勢力に抗してソレノイド４６側に引き付けられて一対の羽根４４，４４が開き、特別図柄始動口１４の入口の大きさが拡大するようになっている一方、ソレノイド４６への通電の停止によりクランクがバネの付勢力で元の位置に戻り、一対の羽根４４，４４が閉じて特別図柄始動口１４の入口の大きさが通常の大きさとなる。
【００２６】
さらに、遊技盤１２の前面には、始動ゲート４８ａ，ｂが配設されている。始動ゲート４８ａは、近接スイッチによって構成された通過スイッチ５０ａを備えており、かかる通過スイッチ５０ａは、始動ゲート４８ａを遊技球が通過したことを検出すると、第一の通過信号を出力するようになっていると共に、始動ゲート４８ｂは、近接スイッチによって構成された通過スイッチ５０ｂを備えており、かかる通過スイッチ５０ｂは、始動ゲート４８ｂを遊技球が通過したことを検出すると、第二の通過信号を出力するようになっている。
【００２７】
また、遊技盤１２の前面には、特別図柄始動口１４の下方に位置して横長の入賞口用台板５２が固定されており、かかる入賞口用台板５２の長手方向中央部分には、大入賞口５４が形成されている。更に、大入賞口５４内には、大入賞口センサ５６が設けられており、大入賞口５４内に遊技球が入球したことを検出して大入賞口入賞信号を出力するようになっている。また、大入賞口５４の前面には、扉５８が軸を中心に回動可能に装着されている。この扉５８は、入賞口用台板５２の裏側に固定された大入賞口ソレノイド６０のプランジャにクランク機構を介して連結されている。そして、扉５８は、大入賞口ソレノイド６０への断電時には、大入賞口５４の入口を塞ぐようになっている一方、大入賞口ソレノイド６０への通電時には、大入賞口５４の入口を開放するようになっている。また、入賞口用台板５２には、入賞口６２ａ，ｂが設けられている。入賞口６２ａは、上側が開口するポケット形状を呈しており、入賞スイッチ６４ａ（図６参照）を備えている。この入賞スイッチ６４ａは、近接スイッチによって構成されており、入賞口６２ａ内に遊技球が入賞したことを検出して第一の入賞信号を出力するようになっている。また、入賞口６２ｂは、上側が開口するポケット形状を呈しており、入賞スイッチ６４ｂ（図６参照）を備えている。この入賞スイッチ６４ｂは、近接スイッチによって構成されており、入賞口６２ｂ内に遊技球が入賞したことを検出して第二の入賞信号を出力するようになっている。
【００２８】
また、パチンコ機１０の裏側には、図２に示されているように、上端部に位置して賞球タンク６６が設けられており、かかる賞球タンク６６内には、遊技球が貯留されている。更に、パチンコ機１０の裏側には、タンクレール６８および賞球払出装置７０が設けられている。この賞球払出装置７０は、タンクレール６８を介して賞球タンク６６に接続されており、賞球払出装置７０内には、賞球タンク６６内からタンクレール６８を通じて遊技球が供給されるようになっている。また、賞球払出装置７０内には、パルスモータからなる賞球モータ７２（図６参照）を駆動源とする賞球払出機構が収容されており、賞球モータ７２の回転軸が単位量回転する毎に賞球払出装置７０内から下方へ一個ずつ遊技球が払い出されるようになっている。また、賞球払出装置７０内には、払い出された遊技球を検出する賞球スイッチ７４が設けられており、賞球スイッチ７４が遊技球を検出すると、払出信号を出力するようになっている。更に、パチンコ機１０の裏側には、賞球払出装置７０と上皿１６を繋ぐ図示しない球通路が設けられており、賞球払出装置７０から放出された遊技球が球通路を介して上皿１６内に供給されるようになっている。
【００２９】
また、パチンコ機１０の裏側には、パチンコ機１０の遊技動作の全体を制御する主制御ＣＰＵ７６が実装されている主基板７８が配設されていると共に、作動部としての普通図柄表示装置４０において普通図柄を変動せしめたり、或いは、作動部としての特別図柄表示装置１８において特別図柄を変動せしめるサブ制御ＣＰＵとしての図柄制御ＣＰＵ８０が実装されている図柄制御基板８２および作動部としての賞球払出装置７０を構成する賞球モータ７２を駆動せしめて賞球を払い出すサブ制御ＣＰＵとしての払出制御ＣＰＵ８４が実装されている払出制御基板８６が配設されている。なお、パチンコ機１０の裏側には、図示しないスピーカを鳴動制御する音制御ＣＰＵが実装された音制御基板やパチンコ機１０に設けられた各種のＬＥＤを点灯制御するランプ制御ＣＰＵが実装されたランプ制御基板も配設されているが、ここでは、図示および説明は省略する。
【００３０】
主基板７８には、図３に示されているように、中継端子８８，主制御ＣＰＵ７６および出力端子９０ａ，ｂ等が実装されており、中継端子８８および出力端子９０ａ，ｂは、それぞれ、主基板７８に形成された図示しないプリント配線を介して主制御ＣＰＵ７６に電気的に接続されている。また、中継端子８８は、複数のピンを備えたコネクタ等で構成されており、図示しない遊技盤中継端子板の端子に接続されており、それによって、中継端子８８は、特別図柄始動センサ４２，通過スイッチ５０，入賞スイッチ６４，大入賞口センサ５６，大入賞口ソレノイド６０，ソレノイド４６等と電気的に接続されている。更に、主制御ＣＰＵ７６は、制御プログラムや制御処理に必要なデータを格納するＲＯＭおよび各種処理データ等を格納するＲＡＭを内蔵しており、特別図柄始動センサ４２からの特別図柄始動信号を検出すると、特別図柄始動信号の検出時における大当たりカウンタのカウンタ値，図柄カウンタのカウンタ値および変動パターンカウンタのカウンタ値を取得するようになっている。これら大当たりカウンタ，図柄カウンタおよび変動パターンカウンタは、それぞれ、「０」から互いに異なる上限値まで加算された後、再び「０」に戻って加算されるものであり、主制御ＣＰＵ７６は、大当たりカウンタ値，図柄カウンタ値および変動パターンカウンタ値を取得すると、大当たりカウンタ値に基づいて大当たり、ハズレリーチ、ハズレを判定する大当たり判定動作を行うと共に、図柄カウンタ値に基づいて大当たり図柄、ハズレリーチ図柄、ハズレ図柄を設定する図柄設定動作を行い、更に、変動パターンカウンタ値に基づいて変動パターンを設定する変動パターン設定動作を行う。そして、主制御ＣＰＵ７６は、大当たり判定動作，図柄設定動作および変動パターン設定動作を終えると、かかる大当たり判定動作，図柄設定動作および変動パターン設定動作に基づく変動パターン指定コマンド，左特別図柄指定コマンド，右特別図柄指定コマンドおよび中特別図柄指定コマンドを、かかる順番で、出力端子９０ａから図柄制御ＣＰＵ８０に出力するようになっている。また、主制御ＣＰＵ７６は、変動パターン指定コマンドに基づく所定の時間が経過する際に、特別図柄表示装置１８における全ての特別図柄の変動を停止する全特別図柄停止コマンドを図柄制御ＣＰＵ８０に送信する。
【００３１】
また、主制御ＣＰＵ７６は、通過スイッチ５０ａからの第一の通過信号を検出すると、第一の通過信号の検出時における当たりカウンタのカウンタ値および図柄カウンタのカウンタ値を取得するようになっていると共に、通過スイッチ５０ｂからの第二の通過信号を検出すると、第二の通過信号の検出時における当たりカウンタのカウンタ値および図柄カウンタのカウンタ値を取得するようになっている。これら当たりカウンタおよび図柄カウンタは、それぞれ、「０」から互いに異なる上限値まで加算された後、再び「０」に戻って加算されるものであり、主制御ＣＰＵ７６は、当たりカウンタ値および図柄カウンタ値を取得すると、当たりカウンタ値に基づいて当たり又はハズレを判定する当たり判定動作を行うと共に、図柄カウンタ値に基づいて当たり図柄又はハズレ図柄を設定する図柄設定動作を行う。また、主制御ＣＰＵ７６は、特別図柄が大当たり図柄で停止する確率が高い高確率状態か否かに基づいて、変動パターンを設定する。そして、主制御ＣＰＵ７６は、当たり判定動作および図柄設定動作，変動パターン設定動作を終えると、かかる当たり判定動作および図柄判定動作，変動パターン設定動作に基づく変動パターン指定コマンド，左普通図柄指定コマンド，右普通図柄指定コマンドを、かかる順番で、出力端子９０ａから図柄制御ＣＰＵ８０に送信する。また、主制御ＣＰＵ７６は、変動パターン指定コマンドに基づく所定の時間が経過する際に、普通図柄表示装置４０における全ての普通図柄の変動を停止する全普通図柄停止コマンドを図柄制御ＣＰＵ８０に送信する。
【００３２】
さらに、主制御ＣＰＵ７６は、大当たり判定動作の判定結果が大当たりの場合には、大入賞口ソレノイド６０を駆動するための大入賞口ソレノイド駆動信号を中継端子８８から出力するようになっており、それによって、大入賞口５４の入口が開放されるようになっている一方、当たり判定動作の判定結果が当たりの場合には、ソレノイド４６を駆動するためにソレノイド駆動信号を中継端子８８から出力するようになっている。
【００３３】
更にまた、主制御ＣＰＵ７６は、特別図柄始動センサ４２からの信号を検出すると、遊技球が特別図柄始動口１４に入賞した場合に設定されている数だけ賞球の払出を行うように、払出制御コマンドを出力端子９０ｂから払出制御ＣＰＵ８４に送信するようになっている。また、主制御ＣＰＵ７６は、入賞スイッチ６４ａからの第一の入賞信号を受信すると、遊技球が入賞口６２ａに入賞した場合に設定されている数だけ賞球の払出を行うように、払出制御コマンドを払出制御ＣＰＵ８４に送信するようになっていると共に、入賞スイッチ６４ｂからの第二の入賞信号を受信すると、遊技球が入賞口６２ｂに入賞した場合に設定されている数だけ賞球の払出を行うように、払出制御コマンドを払出制御ＣＰＵ８４に送信するようになっている。更に、主制御ＣＰＵ７６は、大入賞口センサ５６からの信号を受信すると、遊技球が大入賞口５４に入賞した場合に設定されている数だけ賞球の払出を行うように、払出制御コマンドを払出制御ＣＰＵ８４に送信するようになっている。
【００３４】
また、主制御ＣＰＵ７６は、主制御ＣＰＵ７６に設けられた確認信号出力ピンから主制御ＣＰＵ７６に関する確認信号を出力するようになっている。なお、確認信号出力ピンは、一つであっても良いし、複数であっても良い。そこにおいて、本実施形態では、主基板７８には、主制御用出力端子としての確認用出力端子９２ａを取り付けることが出来る主制御用出力端子取付領域としての確認用出力端子取付領域９４ａが形成されていると共に、主制御用出力端子としての確認用出力端子９２ｂを取り付けることが出来る主制御用出力端子取付領域としての確認用出力端子取付領域９４ｂが形成されている。これら確認用出力端子９２ａ，９２ｂは、何れも、複数（本実施形態では６８本）のピンを備えたコネクタ等で構成されている。また、この確認用出力端子取付領域９４ａには、図面上では明示されていないが、確認用出力端子９２ａが備えている複数のピンを差し込む差込孔や確認用出力端子９２ａの取付位置を位置決めする位置決め孔等が形成されており、また、確認用出力端子取付領域９４ｂには、図面上では明示されていないが、確認用出力端子９２ｂが備えている複数のピンを差し込む差込孔や確認用出力端子９２ｂの取付位置を位置決めする位置決め孔等が形成されている。ここにおいて、本実施形態では、確認用出力端子取付領域９４ａには、一つの確認用出力端子９２ａを取り付けることが出来るようになっていると共に、確認用出力端子取付領域９４ｂには、一つの確認用出力端子９２ｂを取り付けることが出来るようになっている。また、確認用出力端子取付領域９４ａに取り付けることが出来る確認用出力端子９２ａの入力側と主制御ＣＰＵ７６における確認信号出力ピンは、主基板７８に形成された確認用プリント配線９６を介して電気的に接続されており、それによって、確認信号出力ピンから出力された主制御ＣＰＵ７６に関する確認信号が確認用プリント配線９６を介して確認用出力端子９２ａから取得されるようになっている。なお、図面上では明示されていないが、確認用プリント配線９６上には、確認信号出力ピンから出力された確認信号を確認用出力端子９２ａにおける所定のピンから外部に取り出せるようにするために、確認信号分岐手段が設けられている。この確認信号分岐手段は、例えば、複数の出力ポートを有していると共に、主制御ＣＰＵ７６から出力された確認信号を指定された出力ポートから出力する信号分岐装置等で有利に構成することが出来る。更に、確認用出力端子９２ｂの入力側と中継端子８８は、主基板７８に形成された入力信号用プリント配線９８を介して電気的に接続されており、それによって、特別図柄始動センサ４２からの特別図柄始動信号および大入賞口センサ５６からの大入賞口入賞信号，入賞スイッチ６４ａ，ｂからの入賞信号，通過スイッチ５０ａからの第一の通過信号，通過スイッチ５０ｂからの第二の通過信号が確認用出力端子９２ｂから取得されるようになっている。
【００３５】
また、図柄制御基板８２には、図４に示されているように、入力端子１００，図柄制御ＣＰＵ８０および出力端子１０２等が実装されており、入力端子１００および出力端子１０２は、それぞれ、図柄制御基板８２上に形成された図示しないプリント配線を介して図柄制御ＣＰＵ８０に電気的に接続されている。また、入力端子１００は、コネクタ等で構成されており、ハーネス等で主基板７８の出力端子１０２に電気的に接続されている。更に、出力端子１０２は、コネクタ等で構成されており、ハーネス等で特別図柄表示装置１８および普通図柄表示装置４０に接続されている。そして、図柄制御ＣＰＵ８０は、主制御ＣＰＵ７６からの特別図柄の変動パターン指定コマンドを検出すると、特別図柄表示装置１８において、特別図柄の変動を開始するようになっている。また、図柄制御ＣＰＵ８０は、左特別図柄指定コマンドを受信すると、左特別図柄が停止する際に左特別図柄表示領域３９ａに左特別図柄指定コマンドで指定された特別図柄を表示するための準備をする。更に、図柄制御ＣＰＵ８０は、右特別図柄指定コマンドを受信すると、右特別図柄が停止する際に右特別図柄表示領域３９ｃに右特別図柄指定コマンドで指定された特別図柄を表示するための準備をする。更にまた、図柄制御ＣＰＵ８０は、中特別図柄指定コマンドを受信すると、中特別図柄が停止する際に中特別図柄表示領域３９ｂに中特別図柄指定コマンドで指定された特別図柄を表示するための準備をする。そして、図柄制御ＣＰＵ８０は、全特別図柄停止コマンドを受信すると、特別図柄表示装置１８における全特別図柄の変動を停止して、大当たり判定動作の判定結果を遊技者に報知するようになっている。また、図柄制御ＣＰＵ８０は、主制御ＣＰＵ７４からの普通図柄の変動パターン指定コマンドを受信すると、普通図柄表示装置４０において普通図柄の変動を開始する。更に、図柄制御ＣＰＵ８０は、左普通図柄指定コマンドを受信すると、左普通図柄が停止する際に左普通図柄表示領域４１ａに左普通図柄指定コマンドで指定された普通図柄を表示するための準備をする。更にまた、図柄制御ＣＰＵ８０は、右普通図柄指定コマンドを受信すると、右普通図柄が停止する際に右普通図柄表示領域４１ｂに右普通図柄指定コマンドで指定された普通図柄を表示するための準備をする。そして、図柄制御ＣＰＵ８０は、全普通図柄停止コマンドを受信すると、普通図柄表示装置４０における全普通図柄の変動を停止して、当たり判定動作の判定結果を遊技者に報知するようになっている。
【００３６】
また、図柄制御ＣＰＵ８０は、図柄制御ＣＰＵに設けられた確認信号出力ピンから図柄制御ＣＰＵ８０に関する確認信号を出力するようになっている。なお、確認信号出力ピンは、一つであっても良いし、複数であっても良い。そこにおいて、本実施形態では、図柄制御基板８２には、複数（本実施形態では６８本）のピンを備えたコネクタ等で構成されたサブ制御用出力端子としての確認用出力端子１０４（図６参照）を取り付けることが出来るサブ制御用出力端子取付領域としての確認用出力端子取付領域１０６が形成されている。この確認用出力端子取付領域１０６には、図面上では明示されていないが、確認用出力端子１０４が備えている複数のピンを差し込む差込孔や確認用出力端子１０４の取付位置を位置決めする位置決め孔等が形成されている。ここにおいて、本実施形態では、確認用出力端子取付領域１０６には、一つの確認用出力端子１０４を取り付けることが出来るようになっている。また、確認用出力端子取付領域１０６に取り付けることが出来る確認用出力端子１０４の入力側と図柄制御ＣＰＵ８０に設けられた確認信号出力ピンは、図柄制御基板８２に形成された確認用プリント配線１０８によって電気的に接続されており、それによって、図柄制御ＣＰＵ８０の確認信号出力ピンから出力された図柄制御ＣＰＵ８０に関する確認信号が確認用プリント配線１０８を介して確認用出力端子１０４から外部に取り出せるようになっている。なお、図面上では明示されていないが、確認用プリント配線１０８上には、確認信号出力ピンから出力された確認信号を確認用出力端子１０４における所定のピンから外部に取り出せるようにするために、確認信号分岐手段が設けられている。この確認信号分岐手段は、例えば、複数の出力ポートを有していると共に、図柄制御ＣＰＵ８０から出力された確認信号を指定された出力ポートから出力する信号分岐装置等で有利に構成することが出来る。
【００３７】
また、払出制御基板８６には、図５に示されているように、入力端子１１０ａ，ｂ，払出制御ＣＰＵ８４および出力端子１１２等が実装されており、入力端子１１０ａ，ｂおよび出力端子１１２は、それぞれ、払出制御基板８６上に形成された図示しないプリント配線を介して払出制御ＣＰＵ８４に電気的に接続されている。また、入力端子１１０ａはコネクタ等で構成されており、ハーネス等で主基板７８の出力端子９０ａに電気的に接続されている。更に、入力端子１１０ｂは、コネクタ等で構成されており、ハーネス等で賞球払出装置７０に設けられた賞球スイッチ７４に電気的に接続されている。更にまた、出力端子１１２は、コネクタ等で構成されており、ハーネス等で賞球モータ７２に接続されている。そして、払出制御ＣＰＵ８４は、主制御ＣＰＵ７６からの払出指定コマンドを検出すると、賞球モータ７２を駆動するようになっていると共に、賞球スイッチ７４からの信号により払出指定コマンドで指定された所定数の賞球が払い出されたことを検出すると、賞球モータ７２を停止するようになっている。
【００３８】
また、払出制御ＣＰＵ８４は、払出制御ＣＰＵ８４に設けられた確認信号出力ピンから払出制御ＣＰＵ８４に関する確認信号を出力するようになっている。なお、確認信号出力ピンは、一つであっても良いし、複数であっても良い。そこにおいて、本実施形態では、払出制御基板８６には、複数（本実施形態では６８本）のピンを備えたコネクタ等で構成された確認用出力端子１１４を取り付けることが出来る確認用出力端子取付領域１１６が形成されている。この確認用出力端子取付領域１１６には、図面上では明示されていないが、確認用出力端子１１４が備えている複数のピンを差し込む差込孔や確認用出力端子１１４の取付位置を位置決めする位置決め孔等が形成されている。ここにおいて、本実施形態では、確認用出力端子取付領域１１６には、一つの確認用出力端子１１４を取り付けることが出来るようになっている。また、確認用出力端子取付領域１１６に取り付けることが出来る確認用出力端子１１４の入力側と払出制御ＣＰＵ８４における確認信号出力ピンは、払出制御基板８６に形成された確認用プリント配線１１８を介して電気的に接続されており、それによって、払出制御ＣＰＵ８４の確認信号出力ピンから出力された払出制御ＣＰＵ８４に関する確認信号が確認用プリント配線１１８を介して確認用出力端子１１４から取得できるようになっている。また、入力端子１１０ａは、払出制御基板８６に形成された入力信号用プリント配線１２０によって確認用出力端子１１４の入力側に電気的に接続されており、それによって、賞球スイッチ７４からの検出信号が確認用出力端子１１４から取得できるようになっている。
【００３９】
このような構造とされたパチンコ機１０の確認信号の出力に関する作動について、図６に基づいて、説明する。なお、動作確認試験を行うに際して、主基板７８の確認用出力端子取付領域９４には、確認用出力端子９２が取り付けられていると共に、図柄制御基板８２の確認用出力端子取付領域１０６には、確認用出力端子１０４が取り付けられており、また、払出制御基板８６の確認用出力端子取付領域１１６には、確認用出力端子１１４が取り付けられている。
【００４０】
先ず、発射ハンドル２８の回動操作によって遊技盤１２の上部に案内された遊技球が特別図柄始動口１４に入賞すると、特別図柄始動センサ４２が遊技球の入賞を検知して特別図柄始動信号を出力する。この特別図柄始動信号は、入力信号用プリント配線９８を介して確認用出力端子９２ｂから外部に取り出すようになっていると共に、主制御ＣＰＵ７６に入力されるようになっている。そこにおいて、本実施形態では、特別図柄始動信号は、図７に示されているように、確認用出力端子９２ｂの１番ピンから取得できるようになっている。そして、主制御ＣＰＵ７６は、特別図柄始動信号を検出すると、大当たり判定動作，図柄設定動作および変動パターン設定動作を行った後、変動パターン指定コマンド，左特別図柄指定コマンド，右特別図柄指定コマンドおよび中特別図柄指定コマンドを、かかる順番で、図柄制御ＣＰＵ８０に送信すると共に、払出指定コマンドを払出制御ＣＰＵ８４に送信する。また、主制御ＣＰＵ７６は、変動パターン指定コマンドに基づく所定の時間が経過する際に、特別図柄表示装置１８における全ての特別図柄の変動を停止する全特別図柄停止コマンドを図柄制御ＣＰＵ８０に送信する。
【００４１】
そこにおいて、大当たり判定動作に基づく判定結果が大当たりの場合には、特別図柄表示装置１８において大当たり図柄が遊技者に報知された後、主制御ＣＰＵ７６は、特別図柄が大当たりであることを知らせる特別図柄大当たり信号を確認信号出力ピンから出力する。この特別図柄大当たり信号は、確認用プリント配線９６を介して確認用出力端子９２ａから外部に取り出すようになっている。ここにおいて、本実施形態では、特別図柄大当たり信号は、図８に示されているように、確認用出力端子９２ａの１番ピンから取得できるようになっている。その後、主制御ＣＰＵ７６は、大入賞口ソレノイド駆動信号を出力し、それによって、大入賞口ソレノイド６０が所定時間だけ通電状態となり、大入賞口５４の入口が所定時間開放されることとなる。そして、大入賞口の入口が開放されている際に、遊技球が所定数だけ入賞すると、或いは、大入賞口の入口が所定時間連続して開放されると、大入賞口の入口が閉じるようになっている。そこにおいて、本実施形態では、かかる大入賞口の入口の開閉作動が所定回数行われるようになっている。また、主制御ＣＰＵ７６は、大入賞口ソレノイド駆動信号を出力する際に、大入賞口５４の入口を開放することを知らせるために、大入賞口ソレノイド駆動信号を確認信号出力ピンから出力するようになっていると共に、大入賞口５４の入口が開放されていることを知らせる大入賞口開放中信号を確認信号出力ピンから出力するようになっている。そして、これら大入賞口ソレノイド駆動信号および大入賞口開放中信号は、それぞれ、確認用プリント配線９６を介して確認用出力端子９２ａから取得されるようになっている。そこにおいて、本実施形態では、図８に示されているように、大入賞口ソレノイド駆動信号は、確認用出力端子９２ａの２番ピンから取得できるようになっており、また、大入賞口開放中信号は、確認用出力端子９２ａの３番ピンから取得できるようになっている。
【００４２】
また、大入賞口５４の入口が開放されている状態下において、大入賞口５４内に設けられた大入賞口センサ５６が遊技球の入賞を検出すると、大入賞口入賞信号を出力するようになっている。この大入賞口入賞信号は、入力信号用プリント配線９８を介して確認用出力端子９２ｂから外部に取り出すようになっていると共に、主制御ＣＰＵ７６に入力されるようになっている。そこにおいて、本実施形態では、大入賞口入賞信号は、図７に示されているように、確認用出力端子９２ｂの３番ピンから取得できるようになっている。そして、主制御ＣＰＵ７６は、大入賞口入賞信号を検出すると、所定個数の賞球の払出を行う払出制御コマンドを払出制御ＣＰＵ８４に出力する。
【００４３】
また、本実施形態では、特別図柄が所定の大当たり図柄で停止した場合には、次に特別図柄が大当たり図柄で停止するまで、或いは、特別図柄の変動が所定回数行われるまで、特別図柄が大当たり図柄で停止する確率が高くなる特別図柄高確率状態となる。そして、主制御ＣＰＵ７６は、特別図柄高確率状態であることを知らせる特別図柄高確率状態信号を出力する。この特別図柄高確率状態信号は、確認用プリント配線９６を介して確認用出力端子９２ａから外部に取り出すようになっている。そこにおいて、本実施形態では、特別図柄高確率状態信号は、確認用出力端子９２ａの１０番ピンから取得できるようになっている。更に、本実施形態では、特別図柄高確率状態下において、特別図柄の変動時間が短くなる特別図柄変動時間短縮状態になる。そして、主制御ＣＰＵ７６は、特別図柄変動時間短縮状態であることを知らせる特別図柄変動時間短縮状態信号を出力するようになっており、かかる特別図柄変動時間短縮状態信号は、確認用プリント配線９６を介して確認用出力端子９２ａから外部に取り出すようになっている。そこにおいて、本実施形態では、特別図柄変動時間短縮状態信号は、確認用出力端子９２ａの１１番ピンから外部に取得するようになっている。更にまた、本実施形態では、特別図柄高確率状態下において、普通図柄の変動時間が短くなる普通図柄変動時間短縮状態になる。そして、主制御ＣＰＵ７６は、普通図柄変動時間短縮状態であることを知らせる普通図柄変動時間短縮状態信号を出力するようになっており、かかる普通図柄変動時間短縮状態信号は、確認用プリント配線９６を介して確認用出力端子９２ａから外部に取り出すようになっている。そこにおいて、本実施形態では、普通図柄変動時間短縮状態信号は、確認用出力端子９２ａの１２番ピンから外部に取得するようになっている。また、本実施形態では、特別図柄高確率状態下において、特別図柄始動口の入口が拡大された状態が長くなる始動口開放時間延長状態になる。そして、主制御ＣＰＵ７６は、始動口開放時間延長状態であることを知らせる始動口開放時間延長状態信号を出力するようになっており、かかる始動口開放時間延長状態信号は、確認用プリント配線９６を介して確認用出力端子９２ａから外部に取り出すようになっている。そこにおいて、本実施形態では、始動口開放時間延長状態信号は、確認用出力端子９２ａの１３番ピンから外部に取得するようになっている。
【００４４】
一方、遊技球が始動ゲート４８ａを通過すると、通過スイッチ５０ａが遊技球の通過を検知して第一の通過信号を出力すると共に、遊技球が始動ゲート４８ｂを通過すると、通過スイッチ５０ｂが遊技球の通過を検知して第二の通過信号を出力する。これら第一および第二の通過信号は、それぞれ、入力信号用プリント配線９８を介して確認用出力端子９２ｂから取得されるようになっていると共に、主制御ＣＰＵ７６に入力されるようになっている。ここにおいて、本実施形態では、図７に示されているように、第一の通過信号は、確認用出力端子９２ｂの５番ピンから取得できるようになっていると共に、第二の通過信号は、６番ピンから取得できるようになっている。そして、主制御ＣＰＵ７６は、第一および第二の通過信号の何れかを検出すると、当たり判定動作および図柄設定動作，変動パターン設定動作を行った後、変動パターン指定コマンド，左普通図柄指定コマンドおよび右普通図柄指定コマンドを、かかる順番で、図柄制御ＣＰＵ８０に送信する。その後、主制御ＣＰＵ７６は、変動パターン指定コマンドに基づく所定の時間が経過する際に、普通図柄表示装置４０における全ての普通図柄の変動を停止する全普通図柄停止コマンドを図柄制御ＣＰＵ８０に送信する。
【００４５】
そこにおいて、当たり判定動作に基づく判定結果が当たりの場合には、普通図柄表示装置４０において、当たり図柄が遊技者に報知された後、主制御ＣＰＵ７６は、普通図柄が当たり図柄であることを知らせる普通図柄当たり信号を確認信号出力ピンから出力する。この普通図柄当たり信号は、確認用プリント配線９６を介して確認用出力端子９２ａから外部に取り出せるようになっている。ここにおいて、本実施形態では、普通図柄当たり信号は、図８に示されているように、確認用出力端子９２ａの２０番ピンから取得できるようになっている。その後、主制御ＣＰＵ７６は、ソレノイド駆動信号を出力し、それによって、ソレノイド４６が所定時間だけ通電状態となり、一対の羽根４４，４４が所定時間だけ開くことで特別図柄始動口１４の入口が所定時間だけ拡大されることとなる。また、主制御ＣＰＵ７６、ソレノイド駆動信号を出力する際に、特別図柄始動口１４の入口を拡大することを知らせるために、ソレノイド駆動信号を確認信号出力ピンから出力するようになっていると共に、特別図柄始動口１４の入口が開放されていることを知らせる始動口開放中信号を確認信号出力ピンから出力するようになっている。そして、これらソレノイド駆動信号および始動口開放中信号は、それぞれ、確認用プリント配線９６を介して確認用出力端子９２ａから外部に取り出せるようになっている。そこにおいて、本実施形態では、図８に示されているように、ソレノイド駆動信号は、確認用出力端子９２ａの２１番ピンから取得できるようになっており、また、始動口開放中信号は、確認用出力端子９２ａの２２番ピンから取得できるようになっている。
【００４６】
また一方、遊技球が入賞口６２ａに入賞すると、入賞スイッチ６４ａが遊技球の入賞を検知して第一の入賞信号を出力するようになっていると共に、遊技球が入賞口６２ｂに入賞すると、入賞スイッチ６４ｂが遊技球の入賞を検知して第二の入賞信号を出力するようになっている。これら第一および第二の入賞信号は、それぞれ、入力信号用プリント配線９８を介して確認用出力端子９２ｂから外部に取り出せるようになっていると共に、主制御ＣＰＵ７６に入力されるようになっている。そこにおいて、本実施形態では、第一の入賞信号は、確認用出力端子９２ｂの８番ピンから取得できるようになっていると共に、第二の入賞信号は、９番ピンから取得できるようになっている。そして、主制御ＣＰＵ７６は、入賞信号を検出すると、所定数の遊技球の払出を行う払出制御コマンドを払出制御ＣＰＵ８４に出力するようになっている。
【００４７】
また、図柄制御ＣＰＵ８０は、特別図柄の変動パターン指定コマンドを受信すると、特別図柄表示装置１８において、特別図柄の変動を開始するようになっている。そこにおいて、図柄制御ＣＰＵ８０は、特別図柄の変動を開始する際に、特別図柄が変動中であることを知らせる特別図柄変動中信号を確認信号出力ピンから出力するようになっていると共に、左特別図柄が変動中であることを知らせる１桁目特別図柄変動中信号，中特別図柄が変動中であることを知らせる２桁目特別図柄変動中信号および右特別図柄が変動中であることを知らせる３桁目特別図柄変動中信号を確認信号出力ピンから出力するようになっている。これら特別図柄変動中信号，１桁目特別図柄変動信号，２桁目特別図柄変動中信号および３桁目特別図柄変動中信号は、それぞれ、確認用プリント配線９６を介して確認用出力端子１０４から外部に取り出せるようになっている。そこにおいて、本実施形態では、図９に示されているように、特別図柄変動中信号は、確認用出力端子１０４の１番ピンから取得できるようになっている。また、１桁目特別図柄変動中信号は２番ピンから取得できるようになっていると共に、２桁目特別図柄変動中信号は３番ピンから取得できるようになっており、更に、３桁目特別図柄変動中信号は４番ピンから取得できるようになっている。
【００４８】
さらに、図柄制御ＣＰＵ８０は、左特別図柄指定コマンドを受信すると、左特別図柄が停止する際に左特別図柄表示領域３９ａに左特別図柄指定コマンドで指定された特別図柄を表示するための準備をする。また、図柄制御ＣＰＵ８０は、右特別図柄指定コマンドを受信すると、右特別図柄が停止する際に右特別図柄表示領域３９ｃに右特別図柄指定コマンドで指定された特別図柄を表示するための準備をする。更に、図柄制御ＣＰＵ８０は、中特別図柄指定コマンドを受信すると、中特別図柄が停止する際に中特別図柄表示領域３９ｂに中特別図柄指定コマンドで指定された特別図柄を表示するための準備をする。また、図柄制御ＣＰＵ８０は、左特別図柄指定コマンドを受信すると、左特別図柄データの番号を示す１桁目特別図柄データｂｉｔ０〜１桁目特別図柄データｂｉｔ４の５ｂｉｔの信号を確認信号出力ピンから出力するようになっていると共に、右特別図柄指定コマンドを受信すると、右特別図柄データの番号を示す３桁目特別図柄データｂｉｔ０〜３桁目特別図柄データｂｉｔ４の５ｂｉｔの信号を確認信号出力ピンから出力するようになっており、更に、中特別図柄指定コマンドを受信すると、中特別図柄データの番号を示す２桁目特別図柄データｂｉｔ０〜２桁目特別図柄データｂｉｔ４の５ｂｉｔの信号を確認信号出力ピンから出力するようになっている。これら１桁目特別図柄データｂｉｔ０〜１桁目特別図柄データｂｉｔ４の５ｂｉｔの信号，２桁目特別図柄データｂｉｔ０〜２桁目特別図柄データｂｉｔ４の５ｂｉｔの信号および３桁目特別図柄データｂｉｔ０〜３桁目特別図柄データｂｉｔ４の５ｂｉｔの信号は、それぞれ、確認用プリント配線１０８を介して確認用出力端子１０４から外部に取り出せるようになっている。
【００４９】
そこにおいて、本実施形態では、図９に示されているように、１桁目特別図柄データｂｉｔ０の信号が確認用出力端子１０４の７番ピンから取得できるようになっていると共に、１桁目特別図柄データｂｉｔ１の信号が確認用出力端子１０４の８番ピンから取得できるようになっており、更に、１桁目特別図柄データｂｉｔ２の信号が確認用出力端子１０４の９番ピンから取得できるようになっている。１桁目特別図柄データｂｉｔ３の信号が確認用出力端子１０４の１０番ピンから取得できるようになっていると共に、１桁目特別図柄データｂｉｔ４の信号が確認用出力端子１０４の１１番ピンから取得できるようになっている。２桁目特別図柄データｂｉｔ０の信号が確認用出力端子１０４の１２番ピンから取得できるようになっていると共に、２桁目特別図柄データｂｉｔ１の信号が確認用出力端子１０４の１３番ピンから取得できるようになっており、更に、２桁目特別図柄データｂｉｔ２の信号が確認用出力端子１０４の１４番ピンから取得できるようになっている。２桁目特別図柄データｂｉｔ３の信号が確認用出力端子１０４の１５番ピンから取得できるようになっていると共に、２桁目特別図柄データｂｉｔ４の信号が確認用出力端子１０４の１６番ピンから取得できるようになっている。３桁目特別図柄データｂｉｔ０の信号が確認用出力端子１０４の１７番ピンから取得できるようになっていると共に、３桁目特別図柄データｂｉｔ１の信号が確認用出力端子１０４の１８番ピンから取得できるようになっており、更に、３桁目特別図柄データｂｉｔ２の信号が確認用出力端子１０４の１９番ピンから取得できるようになっている。３桁目特別図柄データｂｉｔ３の信号が確認用出力端子１０４の２０番ピンから取得できるようになっていると共に、３桁目特別図柄データｂｉｔ４の信号が確認用出力端子１０４の２１番ピンから取得できるようになっている。
【００５０】
そして、図柄制御ＣＰＵ８０は、全特別図柄停止コマンドを受信すると、特別図柄表示装置１８における全特別図柄の変動を停止して、大当たり判定動作の判定結果を遊技者に報知するようになっている。そこにおいて、図柄制御ＣＰＵ８０は、特別図柄の変動を停止する際に、特別図柄の変動が停止したことを知らせる特別図柄確定信号を確認信号出力ピンから出力するようになっている。この特別図柄確定信号は、確認用プリント配線１０８を介して確認用出力端子１０４から外部に取り出せるようになっている。そこにおいて、本実施形態では、図９に示されているように、特別図柄確定信号は、確認用出力端子１０４の５番ピンから取得できるようになっている。
【００５１】
また、図柄制御ＣＰＵ８０は、変動パターン指定コマンド，左特別図柄指定コマンド，右特別図柄指定コマンド，中特別図柄指定コマンドおよび全特別図柄指定コマンドの何れかが欠落した場合に、特別図柄表示装置１８がエラー状態となったことを知らせる特別図柄表示装置エラー信号を確認信号出力ピンから出力するようになっており、かかる特別図柄表示装置エラー信号は、確認用プリント配線１０８を介して確認用出力端子１０４から外部に取り出せるようになっている。ここにおいて、本実施形態では、図９に示されているように、特別図柄表示装置エラー信号は、確認用出力端子１０４の６番ピンから取得できるようになっている。
【００５２】
また、図柄制御ＣＰＵ８０は、普通図柄の変動パターン指定コマンドを受信すると、普通図柄表示装置４０において、普通図柄の変動を開始するようになっている。そこにおいて、図柄制御ＣＰＵ８０は、普通図柄の変動を開始する際に、普通図柄が変動中であることを知らせる普通図柄変動中信号を確認信号出力ピンから出力するようになっていると共に、左普通図柄が変動中であることを知らせる１桁目普通図柄変動中信号，右普通図柄が変動中であることを知らせる２桁目普通図柄変動中信号を確認信号出力ピンから出力するようになっている。これら普通図柄変動中信号，１桁目普通図柄変動中信号および２桁目普通図柄変動中信号は、それぞれ、確認用プリント配線１０８を介して確認用出力端子１０４から外部に取り出せるようになっている。そこにおいて、本実施形態では、図９に示されているように、普通図柄変動中信号は確認用出力端子１０４における２３番ピンから取得できるようになっていると共に、１桁目普通図柄変動中信号は確認用出力端子１０４の２４番ピンから取得できるようになっており、更に、２桁目普通図柄変動中信号は確認用出力端子１０４の２５番ピンから取得できるようになっている。
【００５３】
さらに、図柄制御ＣＰＵ８０は、左普通図柄指定コマンドを受信すると、左普通図柄が停止する際に左普通図柄表示領域４１ａに左普通図柄指定コマンドで指定された普通図柄を表示するための準備をする。また、図柄制御ＣＰＵ８０は、右普通図柄指定コマンドを受信すると、右普通図柄が停止する際に右普通図柄表示領域４１ｂに右普通図柄指定コマンドで指定された普通図柄を表示するための準備をする。また、図柄制御ＣＰＵ８０は、左普通図柄指定コマンドを受信すると、左普通図柄データの番号を示す１桁目普通図柄データｂｉｔ０〜１桁目普通図柄データｂｉｔ１の２ｂｉｔの信号を確認信号出力ピンから出力するようになっていると共に、右普通図柄指定コマンドを受信すると、右普通図柄データの番号を示す２桁目普通図柄データｂｉｔ０〜２桁目普通図柄データｂｉｔ１の２ｂｉｔの信号を確認信号出力ピンから出力するようになっており、これら１桁目普通図柄データｂｉｔ０〜１桁目普通図柄データｂｉｔ１の２ｂｉｔの信号および２桁目普通図柄データｂｉｔ０〜２桁目普通図柄データｂｉｔ１の２ｂｉｔの信号は、それぞれ、確認用プリント配線１０８を介して確認用出力端子１０４から外部に取り出せるようになっている。
【００５４】
そこにおいて、本実施形態では、図９に示されているように、１桁目普通図柄データｂｉｔ０の信号は確認用出力端子１０４の２８番ピンから取得できるようになっていると共に、１桁目普通図柄データｂｉｔ１の信号は確認用出力端子１０４の２９番ピンから取得できるようになっている。２桁目普通図柄データｂｉｔ０の信号は確認用出力端子１０４の３０番ピンから取得できるようになっていると共に、２桁目普通図柄データｂｉｔ１の信号は確認用出力端子１０４の３１番ピンから取得できるようになっている。
【００５５】
そして、図柄制御ＣＰＵ８０は、全普通図柄停止コマンドを受信すると、普通図柄表示装置４０における全普通図柄の変動を停止して、当たり判定動作の判定結果を遊技者に報知するようになっている。そこにおいて、図柄制御ＣＰＵ８０は、普通図柄の変動を停止する際に、普通図柄の変動が停止したことを知らせる普通図柄確定信号を確認信号出力ピンから出力するようになっている。この普通図柄確定信号は、確認用プリント配線１０８を介して確認用出力端子１０４から外部に取り出せるようになっている。そこにおいて、本実施形態では、図９に示されているように、普通図柄確定信号は確認用出力端子１０４における２６番ピンから取得できるようになっている。
【００５６】
また、図柄制御ＣＰＵ８０は、変動パターン指定コマンド，左普通図柄指定コマンド，右普通図柄指定コマンドおよび全普通図柄指定コマンドの何れかが欠落した場合に、普通図柄表示装置４０がエラー状態となったことを知らせる普通図柄表示装置エラー信号を確認信号出力ピンから出力するようになっており、かかる普通図柄表示装置エラー信号は、確認用プリント配線１０８を介して確認用出力端子１０４から外部に取り出せるようになっている。そこにおいて、本実施形態では、図９に示されているように、普通図柄表示装置エラー信号は、確認用出力端子１０４における２７番ピンから取得できるようになっている。
【００５７】
また、払出制御ＣＰＵ８４は、主制御ＣＰＵ７６からの払出制御コマンドを受信すると、賞球払出装置７０に設けられた賞球モータ７２を駆動する。そして、賞球モータ７２を駆動することによって遊技球が払い出されると、賞球スイッチ７４によって払い出された遊技球が検出されるようになっており、賞球スイッチ７４は遊技球を検出すると払出信号を出力するようになっている。この払出信号は、入力信号用プリント配線１２０を介して確認用出力端子１１４から外部に取り出せるようになっている。ここにおいて、本実施形態では、図１０に示されているように、払出信号は確認用出力端子１１４における１番ピンから取得できるようになっている。また、払出制御ＣＰＵ８４は、払出制御ＣＰＵ８４に入力された払出信号を払出制御コマンドに基づいて払い出される賞球の数だけ検出すると、賞球モータ７２を停止するようになっている。その際、払出制御ＣＰＵ８４は、払出制御コマンドに基づく賞球の払出が完了したことを知らせる賞球払出完了信号を出力するようになっており、かかる賞球払出完了信号は、確認用プリント配線１１８を介して確認用出力端子１１４から外部に取り出すようになっている。そこにおいて、本実施形態では、賞球払出完了信号は、確認用出力端子１１４の５番ピンから取得できるようになっている。
【００５８】
このように各種の確認信号を外部に取り出すことが出来る各確認用出力端子９２ａ，ｂ，１０４，１１４は、それぞれ、図１１に示されているように、試験装置１２２に接続されている。即ち、本実施形態では、確認用出力端子９２ａ，ｂおよび確認用出力端子１１４は、第一の確認用中継端子板１２４を介して、試験装置１２２に接続されていると共に、確認用出力端子１０４は、第二の確認用中継端子板１２６を介して、試験装置１２２に接続されている。
【００５９】
より詳細には、試験装置１２２は、確認用出力端子９２ａ，９２ｂ，１０４，１１４から取得可能な各種の確認信号を試験装置１２２に接続されたデータ取得用パソコン１３６からの入力情報に基づいてデータ取得用パソコン１３６に出力するものである。第一の確認用中継端子板１２４は、プリント基板によって形成されており、かかる第一の確認用中継端子板１２４には、二つの主制御用入力側端子１２８ａ，ｂが設けられていると共に、払出制御用入力側端子１３０が設けられている。これら二つの主制御用入力側端子１２８ａ，ｂおよび払出制御用入力側端子１３０は、何れも、複数（本実施形態では６８本）のピンを備えたコネクタによって構成されている。そして、主基板７８の確認用出力端子取付領域９４ｂに取り付けられた確認用出力端子９２ｂが、ハーネス等を介して主制御用入力側端子１２８ｂに接続されるようになっていると共に、主基板７８の確認用出力端子取付領域９４ａに取り付けられた確認用出力端子９２ａが、ハーネス等を介して主制御用入力側端子１２８ａに接続されるようになっており、更に、払出制御基板８６の確認用出力端子取付領域１１６に取り付けられた確認用出力端子１１４が、ハーネス等を介して払出制御用入力側端子１３０に接続されるようになっている。
【００６０】
それによって、本実施形態では、主基板７８の確認用出力端子９２ｂにおける１番ピンが主制御用入力側端子１２８ｂにおける１番ピンと電気的に接続されていると共に、確認用出力端子９２ｂの３番ピンが主制御用入力側端子１２８ｂにおける３番ピンと電気的に接続されており、更に、確認用出力端子９２ｂの５番ピンが主制御用入力側端子１２８ｂにおける５番ピンと電気的に接続されている。確認用出力端子９２ｂにおける６番ピンが主制御用入力側端子１２８ｂにおける６番ピンと電気的に接続されていると共に、確認用出力端子９２ｂの８番ピンが主制御用入力側端子１２８ｂにおける８番ピンと電気的に接続されており、更に、確認用出力端子９２ｂの９番ピンが主制御用入力側端子１２８ｂにおける９番ピンと電気的に接続されている。主基板７８の確認用出力端子９２ａにおける１番ピン〜３番ピンの各ピンが、それぞれ、主制御用入力側端子１２８ａにおける１番ピン〜３番ピンの各ピンと電気的に接続されていると共に、確認用出力端子９２ａの１０番ピン〜１３番ピンの各ピンが、それぞれ、主制御用入力側端子１２８ａの１０番ピン〜１３番ピンの各ピンと電気的に接続されており、更に、確認用出力端子９２ａの２０番ピン〜２２番ピンの各ピンが、それぞれ、主制御用入力側端子１２８ａの２０番ピン〜２２番ピンの各ピンと電気的に接続されている。払出制御基板８６の確認用出力端子１１４における１番ピンおよび５番ピンが払出制御用入力側端子１３０の１番ピンおよび５番ピンに電気的に接続されている。
【００６１】
また、第一の確認用中継端子板１２４には、二つの出力側端子１３２ａ，１３２ｂが設けられている。これら二つの出力側端子１３２ａ，１３２ｂは、何れも、複数（本実施形態では６８本）のピンを備えたコネクタによって構成されている。そして、これら二つの出力側端子１３２ａ，１３２ｂは、それぞれ、第一の確認用中継端子板１２４に形成された図示しないプリント配線によって、二つの主制御用入力側端子１２８ａ，ｂおよび払出制御用入力側端子１３０に電気的に接続されている。ここにおいて、本実施形態では、出力側端子１３２ｂにおける１番ピンが主制御用入力側端子１２８ｂにおける１番ピンと電気的に接続されていると共に、出力側端子１３２ｂの３番ピンが主制御用入力側端子１２８ｂにおける３番ピンと電気的に接続されており、更に、出力側端子１３２ｂの５番ピンが主制御用入力側端子１２８ｂにおける５番ピンと電気的に接続されている。出力側端子１３２ｂにおける６番ピンが主制御用入力側端子１２８ｂにおける６番ピンと電気的に接続されていると共に、出力側端子１３２ｂの８番ピンが主制御用入力側端子１２８ｂにおける８番ピンと電気的に接続されており、更に、出力側端子１３２ｂの９番ピンが主制御用入力側端子１２８ｂにおける９番ピンと電気的に接続されている。出力側端子１３２ｂにおける１１番ピンが払出制御用入力側端子１３０の１番ピンと電気的に接続されている。また、出力側端子１３２ａにおける１番ピン〜３番ピンの各ピンが、それぞれ、主制御用入力側端子１２８ａにおける１番ピン〜３番ピンの各ピンと電気的に接続されていると共に、出力側端子１３２ａの１０番ピン〜１３番ピンの各ピンが、それぞれ、主制御用入力側端子１２８ａの１０番ピン〜１３番ピンの各ピンと電気的に接続されており、更に、出力側端子１３２ａの２０番ピン〜２２番ピンの各ピンが、それぞれ、主制御用入力側端子１２８ａの２０番ピン〜２２番ピンの各ピンと電気的に接続されている。出力側端子１３２ｂにおける３０番ピンが払出制御用入力側端子１３０の５番ピンと電気的に接続されている。
【００６２】
それによって、本実施形態では、図１２に示されているように、出力側端子１３２ｂの１番ピンから特別図柄始動信号を取得するようになっていると共に、出力側端子１３２ｂの３番ピンから大入賞口入賞信号を取得するようになっている。出力側端子１３２ｂの５番ピンから第一の通過信号を取得するようになっていると共に、出力側端子１３２ｂの６番ピンから第二の通過信号を取得するようになっている。出力側端子１３２ｂの８番ピンから第一の入賞信号を取得するようになっていると共に、出力側端子１３２ｂの９番ピンから第二の入賞信号を取得するようになっており、更に、出力側端子１３２ｂの１１番ピンから払出信号を取得するようになっている。
【００６３】
更にまた、本実施形態では、図１３に示されているように、出力側端子１３２ａの１番ピンから特別図柄大当たり信号を取得するようになっていると共に、出力側端子１３２ａの２番ピンから大入賞口ソレノイド信号を取得するようになっており、更に、出力側端子１３２ａの３番ピンから大入賞口開放中信号を取得するようになっている。出力側端子１３２ａの１０番ピンから特別図柄高確率状態信号を取得するようになっていると共に、出力側端子１３２ａの１１番ピンから特別図柄変動時間短縮状態信号を取得するようになっている。出力側端子１３２ａの１２番ピンから普通図柄変動時間短縮状態信号を取得するようになっていると共に、出力側端子１３２ａの１３番ピンから始動口開放延長状態信号を出力するようになっている。出力側端子１３２ａの２０番ピンから普通図柄大当たり信号を取得するようになっていると共に、出力側端子１３２ａの２１番ピンからソレノイド信号を取得するようになっており、更に、出力側端子１３２ａの２２番ピンから始動口開放中信号を取得するようになっている。出力側端子１３２ａの３０番ピンから賞球払出完了信号を取得するようになっている。
【００６４】
これら二つの出力側端子１３２ａ，ｂは、それぞれ、ハーネス等で試験装置１２２に接続されている。ここにおいて、本実施形態では、二つの出力側端子１３２ａ，ｂは、それぞれ、直接に試験装置１２２に接続されておらず、バッファ基板１３４ａ，ｂを介して、試験装置１２２に接続されている。なお、バッファ基板１３４ａには、パチンコ機１０に取付けられた発射球検出用のレーザセンサ１４８の投光部と受光部が、それぞれ、アンプユニット１５０を介して接続されている。そして、データ取得用パソコン１３６からの入力情報に基づいて試験装置１２２からデータ取得用パソコン１３６に出力された確認信号を検査することによって、パチンコ機１０の動作確認試験を行うようになっている。
【００６５】
一方、第二の確認用中継端子板１２６は、プリント基板によって形成されており、かかる第二の確認用中継端子板１２６には、一つの入力側端子１３８が設けられている。この入力側端子１３８は、複数（本実施形態では６８本）のピンを備えたコネクタによって構成されている。そして、図柄制御基板８２の確認用出力端子取付領域１０６に取り付けられた確認用出力端子１０４が、ハーネス等を介して入力側端子１３８に接続されるようになっている。それによって、確認用出力端子１０４における１番ピン〜２１番ピンの各ピンおよび２３番ピンから３１番ピンの各ピンが、それぞれ、入力側端子１３８における１番ピン〜２１番ピンの各ピンおよび２３番ピン〜３１番ピンの各ピンと電気的に接続されている。
【００６６】
また、第二の確認用中継端子板１２６には、４つの出力側端子１４０ａ〜ｄが設けられている。これら４つの出力側端子１４０ａ〜ｄは、何れも、複数（本実施形態では６８本）のピンを備えたコネクタによって構成されている。そして、これら４つの出力側端子１４０ａ〜ｄは、それぞれ、第二の確認用中継端子板１２６に形成された図示しないプリント配線によって、入力側端子１３８に電気的に接続されている。ここにおいて、本実施形態では、出力側端子１４０ａにおける１番ピンが入力側端子１３８の１番ピンに電気的に接続されていると共に、出力側端子１４０ａにおける１７番ピン〜１９番ピンの各ピンが、それぞれ、入力側端子１３８の２番ピン〜４番ピンに電気的に接続されている。出力側端子１４０ａにおける５番ピンが入力側端子１３８における５番ピンに電気的に接続されていると共に、出力側端子１４０ａにおける９番ピンが入力側端子１３８における６番ピンに電気的に接続されている。
【００６７】
それによって、本実施形態では、図１４に示されているように、出力側端子１４０ａの１番ピンから特別図柄変動中信号を取得するようになっていると共に、出力側端子１４０ａの５番ピンから特別図柄確定信号を取得するようになっており、更に、出力側端子１４０ａの９番ピンから特別図柄表示装置エラー信号を取得するようになっている。出力側端子１４０ａの１７番ピンから１桁目特別図柄変動中信号を取得するようになっていると共に、出力側端子１４０ａの１８番ピンから２桁目特別図柄変動中信号を取得するようになっており、更に、出力側端子１４０ａの１９番ピンから３桁目特別図柄変動中信号を取得するようになっている。
【００６８】
また、本実施形態では、出力側端子１４０ｂの１番ピン〜５番ピンが、それぞれ、入力側端子１３８の７番ピン〜１１番ピンに電気的に接続されていると共に、出力側端子１４０ｂの９番ピン〜１３番ピンが、それぞれ、入力側端子１３８の１２番ピン〜１６番ピンに電気的に接続されており、更に、出力側端子１４０ｂの１７番ピン〜２１番ピンが、それぞれ、入力側端子１３８の１７番ピン〜２１番ピンに電気的に接続されている。それによって、本実施形態では、図１５に示されているように、１桁目特別図柄データｂｉｔ０の信号が出力側端子１４０ｂの１番ピンから取得できるようになっていると共に、１桁目特別図柄データｂｉｔ１の信号が出力側端子１４０ｂの２番ピンから取得できるようになっており、更に、１桁目特別図柄データｂｉｔ２の信号が出力側端子１４０ｂの３番ピンから取得できるようになっている。１桁目特別図柄データｂｉｔ３の信号が出力側端子１４０ｂの４番ピンから取得できるようになっていると共に、１桁目特別図柄データｂｉｔ４の信号が出力側端子１４０ｂの５番ピンから取得できるようになっている。２桁目特別図柄データｂｉｔ０の信号が出力側端子１４０ｂの９番ピンから取得できるようになっていると共に、２桁目特別図柄データｂｉｔ１の信号が出力側端子１４０ｂの１０番ピンから取得できるようになっており、更に、２桁目特別図柄データｂｉｔ２の信号が出力側端子１４０ｂの１１番ピンから取得できるようになっている。２桁目特別図柄データｂｉｔ３の信号が出力側端子１４０ｂの１２番ピンから取得できるようになっていると共に、２桁目特別図柄データｂｉｔ４の信号が出力側端子１４０ｂの１３番ピンから取得できるようになっている。３桁目特別図柄データｂｉｔ０の信号が出力側端子１４０ｂの１７番ピンから取得できるようになっていると共に、３桁目特別図柄データｂｉｔ１の信号が出力側端子１４０ｂの１８番ピンから取得できるようになっており、更に、３桁目特別図柄データｂｉｔ２の信号が出力側端子１４０ｂの１９番ピンから取得できるようになっている。３桁目特別図柄データｂｉｔ３の信号が出力側端子１４０ｂの２０番ピンから取得できるようになっていると共に、３桁目特別図柄データｂｉｔ４の信号が出力側端子１４０ｂの２１番ピンから取得できるようになっている。
【００６９】
また、本実施形態では、出力側端子１４０ｃにおける１番ピンが入力側端子１３８の２３番ピンに電気的に接続されていると共に、出力側端子１４０ｃにおける１７番ピンが入力側端子１３８の２４番ピンに電気的に接続されており、更に、出力側端子１４０ｃにおける１８番ピンが入力側端子１３８の２５番ピンに電気的に接続されている。出力側端子１４０ｃにおける５番ピンが入力側端子１３８における２６番ピンに電気的に接続されていると共に、出力側端子１４０ｃにおける９番ピンが入力側端子１３８における２７番ピンに電気的に接続されている。それによって、本実施形態では、図１６に示されているように、出力側端子１４０ｃの１番ピンから普通図柄変動中信号を取得するようになっていると共に、出力側端子１４０ｃの５番ピンから普通図柄確定信号を取得するようになっており、更に、出力側端子１４０ｃの９番ピンから普通図柄表示装置エラー信号を取得するようになっている。出力側端子１４０ｃの１７番ピンから１桁目普通図柄変動中信号を取得するようになっていると共に、出力側端子１４０ｃの１８番ピンから２桁目普通図柄変動中信号を取得するようになっている。
【００７０】
また、本実施形態では、出力側端子１４０ｄの１番ピンが入力側端子１３８の２８番ピンに電気的に接続されていると共に、出力側端子１４０ｄの２番ピンが入力側端子１３８の２９番ピンに電気的に接続されている。出力側端子１４０ｄの９番ピンが入力側端子１３８の３０番ピンに電気的に接続されていると共に、出力側端子１４０ｄの１０番ピンが入力側端子１３８の３１番ピンに電気的に接続されている。それによって、本実施形態では、図１７に示されているように、１桁目普通図柄データｂｉｔ０の信号が出力側端子１４０ｄの１番ピンから取得できるようになっていると共に、１桁目普通図柄データｂｉｔ１の信号が出力側端子１４０ｄの２番ピンから取得できるようになっている。２桁目普通図柄データｂｉｔ０の信号が出力側端子１４０ｄの９番ピンから取得できるようになっていると共に、２桁目普通図柄データｂｉｔ１の信号が出力側端子１４０ｄの１０番ピンから取得できるようになっている。
【００７１】
これら４つの出力側端子１４０ａ〜ｄは、それぞれ、ハーネス等で試験装置１２２に接続されている。ここにおいて、本実施形態では、４つの出力側端子１４０ａ〜ｄは、それぞれ、直接に試験装置１２２に接続されておらず、バッファ基板１４２ａ〜ｄを介して、試験装置１２２に接続されている。そして、データ取得用パソコン１３６からの入力情報に基づいて試験装置１２２からデータ取得用パソコン１３６に出力された確認信号を検査することによって、パチンコ機１０の動作確認試験を行うようになっている。
【００７２】
また、上述の説明から明らかなように、本実施形態では、第二の確認用中継端子板１２６によって、分岐中継手段が構成されている。更に、本実施形態では、確認用出力端子１０４における一つのピンからは、一つの確認信号のみが取得されるようになっている。更にまた、本実施形態では、特別図柄始動信号，特別図柄大当たり信号，大入賞口ソレノイド駆動信号，大入賞口開放中信号，大入賞口入賞信号，特別図柄高確率状態信号，特別図柄変動時間短縮状態信号，普通図柄変動時間短縮状態信号，始動口開放時間延長信号，第一および第二の通過信号，普通図柄当たり信号，ソレノイド駆動信号，始動口開放中信号，第一および第二の入賞信号が、主制御ＣＰＵ７６に関する確認信号とされていると共に、特別図柄変動中信号，１桁目特別図柄変動中信号，２桁目特別図柄変動中信号，３桁目特別図柄変動中信号，１桁目特別図柄データｂｉｔ０〜１桁目特別図柄データｂｉｔ４の５ｂｉｔの信号，２桁目特別図柄データｂｉｔ０〜２桁目特別図柄データｂｉｔ４の５ｂｉｔの信号，３桁目特別図柄データｂｉｔ０〜３桁目特別図柄データｂｉｔ４の５ｂｉｔの信号，特別図柄確定信号，特別図柄表示装置エラー信号，普通図柄変動中信号，１桁目普通図柄変動中信号，２桁目普通図柄変動中信号，１桁目普通図柄データｂｉｔ０〜１桁目普通図柄データｂｉｔ１の２ｂｉｔの信号，２桁目普通図柄データｂｉｔ０〜２桁目普通図柄データｂｉｔ１の２ビットの信号，普通図柄確定信号，普通図柄表示装置エラー信号が、図柄制御ＣＰＵ８０に関する確認信号とされており、更に、払出信号および賞球払出完了信号が、払出制御ＣＰＵ８４に関する確認信号とされている。
【００７３】
このような本実施形態に従う構造とされたパチンコ機１０においては、図柄制御基板８２に形成された確認用出力端子取付領域１０６に取り付けることが出来る一つの確認用出力端子１１４から図柄制御ＣＰＵ８０が出力する全ての確認信号を外部に取り出すようになっていることから、図柄制御基板８２における確認用出力端子取付領域１０６の割合を小さくすることが出来るのであり、それによって、図柄制御基板８２に配置される各種の回路素子の配置に関する設計自由度を大きく確保することが出来るのであり、パチンコ機１０の通常の使用状態におけるノイズ対策を有利に行うことが出来るのである。
【００７４】
以上、本発明の一実施形態について、詳述してきたが、これはあくまでも例示であって、本発明は、かかる実施形態における具体的な記載によって、何等、限定的に解釈されるものではない。
【００７５】
例えば、前記実施形態では、主基板７８には、二つの確認用出力端子取付領域９４ａ，ｂが形成されており、確認用出力端子取付領域９４ａには、一つの確認用出力端子９２ａを取り付けることが出来るようになっていると共に、確認用出力端子取付領域９４ｂには、一つの確認用出力端子９２ｂを取り付けることが出来るようになっていたが、図１８に示されているように、主基板１４４に一つの確認用出力端子９２を取り付けて、かかる一つの確認用出力端子９２から主制御ＣＰＵ７６に関する全ての確認信号を外部に取り出すようにしても良い。即ち、図１８には、本発明の第二の実施形態としてのパチンコ機の確認信号の出力に関するブロック図が示されている。なお、以下の説明において、第一の実施形態と同様な構造とされた部材および部位については、図中に、第一の実施形態と同一の符号を付すことにより、それらの詳細な説明を省略する。
【００７６】
より詳細には、本実施形態の主基板１４４には、図１９に示されているように、二つの確認用出力端子取付領域（９４ａ，ｂ）が形成されている代わりに、一つの確認用出力端子取付領域９４が形成されており、かかる確認用出力端子取付領域９４には、一つの確認用出力端子９２を取り付けることが出来るようになっている。また、この確認用出力端子９２には、入力信号用プリント配線９８と確認用プリント配線９６が接続されており、それによって、中継端子８８から入力される特別図柄始動信号，大入賞口入賞信号，第一および第二の通過信号，第一および第二の入賞信号が、確認用出力端子９２から外部に取り出せるようになっていると共に、主制御ＣＰＵ７６から出力される特別図柄大当たり信号，大入賞口ソレノイド信号，大入賞口開放中信号，特別図柄高確率状態信号，特別図柄変動時間短縮状態信号，普通図柄変動時間短縮状態信号，始動口開放時間延長信号，普通図柄当たり信号，ソレノイド信号および始動口開放中信号が、確認用出力端子９２から外部に取り出せるようになっている。
【００７７】
ここにおいて、本実施形態では、図２０に示されているように、確認用出力端子９２の１番ピンから特別図柄始動信号を取得するようになっていると共に、確認用出力端子９２の３番ピンから大入賞口入賞信号を取得するようになっている。確認用出力端子９２の５番ピンから第一の通過信号を取得するようになっていると共に、６番ピンから第二の通過信号を取得するようになっている。確認用出力端子９２の８番ピンから第一の入賞信号を取得するようになっていると共に、９番ピンから第二の入賞信号を取得するようになっている。確認用出力端子９２の１１番ピンから特別図柄大当たり信号を取得するようになっていると共に、確認用出力端子９２の１２番ピンから大入賞口ソレノイド駆動信号を取得するようになっており、更に、確認用出力端子９２の１３番ピンから大入賞口開放中信号を取得するようになっている。確認用出力端子９２の１５番ピンから特別図柄高確率状態信号を取得するようになっていると共に、確認用出力端子９２の１６番ピンから特別図柄変動時間短縮状態信号を取得するようになっている。確認用出力端子９２の１７番ピンから普通図柄変動時間短縮状態信号を取得するようになっていると共に、確認用出力端子９２の１８番ピンから始動口開放延長状態信号を出力するようになっている。確認用出力端子９２の２０番ピンから普通図柄当たり信号を取得するようになっていると共に、確認用出力端子９２の２１番ピンからソレノイド駆動信号を取得するようになっており、更に、確認用出力端子９２の２２番ピンから始動口開放中信号を取得するようになっている。
【００７８】
そして、主基板１４４に取り付けられた確認用出力端子９２は、図２１に示されているように、第一の確認用中継端子板１４６を介して、試験装置１２２に接続されるようになっている。この第一の確認用中継端子板１４６には、二つの主制御用入力側端子（１２８ａ，ｂ）が設けられている代わりに、一つの主制御用入力側端子１２８が設けられており、かかる主制御用入力側端子１２８にハーネス等を介して確認用出力端子９２が接続されている。それによって、本実施形態では、確認用出力端子９２における１番ピンが主制御用入力側端子１２８における１番ピンと電気的に接続されていると共に、確認用出力端子９２における３番ピンが主制御用入力側端子１２８における３番ピンと電気的に接続されている。確認用出力端子９２における５番ピンが主制御用入力側端子１２８における５番ピンと電気的に接続されていると共に、確認用出力端子９２における６番ピンが主制御用入力側端子１２８における６番ピンと電気的に接続されている。確認用出力端子９２における８番ピンが主制御用入力側端子１２８における８番ピンと電気的に接続されていると共に、確認用出力端子９２における９番ピンが主制御用入力側端子１２８における９番ピンと電気的に接続されている。確認用出力端子９２における１１番ピンが主制御用入力側端子１２８における１１番ピンと電気的に接続されていると共に、確認用出力端子９２における１２番ピンが主制御用入力側端子１２８における１２番ピンと電気的に接続されており、更に、確認用出力端子９２における１３番ピンが主制御用入力側端子１２８における１３番ピンと電気的に接続されている。確認用出力端子９２における１５番ピンが主制御用入力側端子１２８における１５番ピンと電気的に接続されていると共に、確認用出力端子９２における１６番ピンが主制御用入力側端子１２８における１６番ピンと電気的に接続されている。確認用出力端子９２における１７番ピンが主制御用入力側端子１２８における１７番ピンと電気的に接続されていると共に、確認用出力端子９２における１８番ピンが主制御用入力側端子１２８における１８番ピンと電気的に接続されている。確認用出力端子９２における２０番ピンが主制御用入力側端子１２８における２０番ピンと電気的に接続されていると共に、確認用出力端子９２における２１番ピンが主制御用入力側端子１２８における２１番ピンと電気的に接続されており、更に、確認用出力端子９２における２２番ピンが主制御用入力側端子１２８における２２番ピンと電気的に接続されている。
【００７９】
また、第一の確認用中継端子板１４６に設けられた二つの出力側端子１３２ａ，ｂは、それぞれ、第一の確認用中継端子板１４６に形成された図示しないプリント配線によって、主制御用入力側端子１２８および払出制御用入力側端子１３０に電気的に接続されている。ここにおいて、本実施形態では、出力側端子１３２ｂにおける１番ピンが主制御用入力側端子１２８における１番ピンと電気的に接続されていると共に、出力側端子１３２ｂの３番ピンが主制御用入力側端子１２８における３番ピンと電気的に接続されており、更に、出力側端子１３２ｂの５番ピンが主制御用入力側端子１２８における５番ピンと電気的に接続されている。出力側端子１３２ｂにおける６番ピンが主制御用入力側端子１２８における６番ピンと電気的に接続されていると共に、出力側端子１３２ｂの８番ピンが主制御用入力側端子１２８における８番ピンと電気的に接続されており、更に、出力側端子１３２ｂの９番ピンが主制御用入力側端子１２８における９番ピンと電気的に接続されている。出力側端子１３２ｂにおける１１番ピンが払出制御用入力側端子１３０の１番ピンと電気的に接続されている。出力側端子１３２ａにおける１番ピン〜３番ピンの各ピンが、それぞれ、主制御用入力側端子１２８における１１番ピン〜１３番ピンの各ピンと電気的に接続されていると共に、出力側端子１３２ａの１０番ピン〜１３番ピンの各ピンが、それぞれ、主制御用入力側端子１２８の１５番ピン〜１８番ピンの各ピンと電気的に接続されており、更に、出力側端子１３２ａの２０番ピン〜２２番ピンの各ピンが、それぞれ、主制御用入力側端子１２８の２０番ピン〜２２番ピンの各ピンと電気的に接続されている。出力側端子１３２ｂにおける３０番ピンが払出制御用入力側端子１３０の５番ピンと電気的に接続されている。
【００８０】
それによって、本実施形態では、図２２に示されているように、出力側端子１３２ｂの１番ピンから特別図柄始動信号を取得するようになっていると共に、出力側端子１３２ｂの３番ピンから大入賞口入賞信号を取得するようになっている。出力側端子１３２ｂの５番ピンから第一の通過信号を取得するようになっていると共に、出力側端子１３２ｂの６番ピンから第二の通過信号を取得するようになっている。出力側端子１３２ｂの８番ピンから第一の入賞信号を取得するようになっていると共に、出力側端子１３２ｂの９番ピンから第二の入賞信号を取得するようになっており、更に、出力側端子１３２ｂの１１番ピンから払出信号を取得するようになっている。更にまた、本実施形態では、図２３に示されているように、出力側端子１３２ａの１番ピンから特別図柄大当たり信号を取得するようになっていると共に、出力側端子１３２ａの２番ピンから大入賞口ソレノイド信号を取得するようになっており、更に、出力側端子１３２ａの３番ピンから大入賞口開放中信号を取得するようになっている。出力側端子１３２ａの１０番ピンから特別図柄高確率状態信号を取得するようになっていると共に、出力側端子１３２ａの１１番ピンから特別図柄変動時間短縮状態信号を取得するようになっている。出力側端子１３２ａの１２番ピンから普通図柄変動時間短縮状態信号を取得するようになっていると共に、出力側端子１３２ａの１３番ピンから始動口開放延長状態信号を出力するようになっている。出力側端子１３２ａの２０番ピンから普通図柄大当たり信号を取得するようになっていると共に、出力側端子１３２ａの２１番ピンからソレノイド信号を取得するようになっており、更に、出力側端子１３２ａの２２番ピンから始動口開放中信号を取得するようになっている。出力側端子１３２ａの３０番ピンから賞球払出完了信号を取得するようになっている。
【００８１】
これら二つの出力側端子１３２ａ，ｂは、それぞれ、ハーネス等で試験装置１２２に接続されている。ここにおいて、本実施形態では、二つの出力側端子１２２は、それぞれ、直接に試験装置１２２に接続されておらず、バッファ基板１３４ａ，ｂを介して、試験装置１２２に接続されている。そして、データ取得用パソコン１３６からの入力情報に基づいて試験装置１２２からデータ取得用パソコン１３６に出力された確認信号を検査することによって、パチンコ機１０の動作確認試験を行うようになっている。
【００８２】
また、上述の説明から明らかなように、本実施形態では、第一の確認用中継端子板１４６および第二の確認用中継端子板１２６によって、分岐中継手段が構成されている。更に、本実施形態では、確認用出力端子９２における一つのピンからは、一つの確認信号のみが取得されるようになっている。
【００８３】
このような本実施形態に従う構造とされたパチンコ機においては、主基板１４４に形成された確認用出力端子取付領域９４に取り付けることが出来る一つの確認用出力端子９２から主制御ＣＰＵ７６に入力される全ての入力信号および主制御ＣＰＵ７６が出力する全ての確認信号を外部に取り出すようになっていることから、主基板７８における確認用出力端子取付領域９４の割合を小さくすることが出来るのであり、それによって、主基板７８に配置される各種の回路素子の配置に関する設計自由度を大きく確保することが出来るのであり、パチンコ機の通常の使用状態におけるノイズ対策を有利に行うことが出来るのである。
【００８４】
また、各種の確認信号を取り出すことが出来る確認用出力端子のピン番号は、前記実施形態のものに限定されない。更に、確認信号は、前記実施形態のものに限定されない。
【００８５】
加えて、前記実施形態では、第一種パチンコ機に本発明を適用したものの具体例を示したが、本発明は、第二種パチンコ機や第三種パチンコ機等の他の遊技機に対して適用可能であることは、言うまでもない。
【００８６】
その他、一々列挙はしないが、本発明は、当業者の知識に基づいて、種々なる変更，修正，改良等を加えた態様において実施され得るものであり、また、そのような実施態様が、本発明の趣旨を逸脱しない限り、何れも、本発明の範囲内に含まれるものであることは、言うまでもない。
【００８７】
【発明の効果】
上述の説明から明らかなように、本発明に従う構造とされた遊技機においては、主制御ＣＰＵおよびサブ制御ＣＰＵのうち少なくとも一つの制御ＣＰＵに関する全ての確認信号を、かかる制御ＣＰＵが実装されている制御基板に形成された出力端子取付領域に取り付けることが出来る一つの出力端子から外部に取り出すようになっていることから、かかる制御ＣＰＵが実装されている制御基板における出力端子取付領域の占める割合を小さくすることが可能となり、それによって、かかる制御ＣＰＵが実装されている制御基板に配置される各種の回路素子の配置に関する設計自由度を向上することが出来るのである。
【図面の簡単な説明】
【図１】本発明の第一の実施形態としてのパチンコ機を示す正面図である。
【図２】図１に示されたパチンコ機の裏面図である。
【図３】図１に示されたパチンコ機に採用されている主基板を示す平面図である。
【図４】図１に示されたパチンコ機に採用されている図柄制御基板を示す平面図である。
【図５】図１に示されたパチンコ機に採用されている払出制御基板を示す平面図である。
【図６】図１に示されたパチンコ機の確認信号の出力を示すブロック図である。
【図７】主基板に取り付けられた一方の確認用出力端子の確認用信号配置例を示す説明図である。
【図８】主基板に取り付けられた他方の確認用出力端子の確認用信号配置例を示す説明図である。
【図９】図柄制御基板に取り付けられた確認用出力端子の確認用信号配置例を示す説明図である。
【図１０】払出制御基板に取り付けられた確認用出力端子の確認用信号配置例を示す説明図である。
【図１１】確認用出力端子の試験装置への接続を示す概略図である。
【図１２】第一の確認用中継端子板に取り付けられた一方の出力側端子の確認用信号配置例を示す説明図である。
【図１３】第一の確認用中継端子板に取り付けられた他方の出力側端子の確認用信号配置例を示す説明図である。
【図１４】第二の確認用中継端子板に取り付けられた第一の出力側端子の確認用信号配置例を示す説明図である。
【図１５】第二の確認用中継端子板に取り付けられた第二の出力側端子の確認用信号配置例を示す説明図である。
【図１６】第二の確認用中継端子板に取り付けられた第三の出力側端子の確認用信号配置例を示す説明図である。
【図１７】第二の確認用中継端子板に取り付けられた第四の出力側端子の確認用信号配置例を示す説明図である。
【図１８】本発明の第二の実施形態としてのパチンコ機の確認信号の出力に関するブロック図である。
【図１９】第二の実施形態で採用されている主基板の平面図である。
【図２０】主基板に取り付けられた確認用出力端子の確認用信号配置例を示す説明図である。
【図２１】第二の実施形態における確認用出力端子の試験装置への接続を示す概略図である。
【図２２】第一の確認用中継端子板に取り付けられた一方の出力側端子の確認用信号配置例を示す説明図である。
【図２３】第一の確認用中継端子板に取り付けられた他方の出力側端子の確認用信号配置例を示す説明図である。
【符号の説明】
１０　パチンコ機
１８　特別図柄表示装置
４０　普通図柄表示装置
７０　賞球払出装置
７６　主制御ＣＰＵ
７８　主基板
８０　図柄制御ＣＰＵ
８２　図柄制御基板
１０４　確認用出力端子
１０６　確認用出力端子取付領域
【図１】
2004121375.tif 000003
【図２】
2004121375.tif 000004
【図３】
2004121375.tif 000005
【図４】
2004121375.tif 000006
【図５】
2004121375.tif 000007
【図６】
2004121375.tif 000008
【図７】
2004121375.tif 000009
【図８】
2004121375.tif 000010
【図９】
2004121375.tif 000011
【図１０】
2004121375.tif 000012
【図１１】
2004121375.tif 000013
【図１２】
2004121375.tif 000014
【図１３】
2004121375.tif 000015
【図１４】
2004121375.tif 000016
【図１５】
2004121375.tif 000017
【図１６】
2004121375.tif 000018
【図１７】
2004121375.tif 000019
【図１８】
2004121375.tif 000020
【図１９】
2004121375.tif 000021
【図２０】
2004121375.tif 000022
【図２１】
2004121375.tif 000023
【図２２】
2004121375.tif 000024
【図２３】
2004121375.tif 000025